(57)【要約】【課題】  振動板の面積を大きくし、充分な音量で良好な音質の音響再生を実現する。【解決手段】  画像表示部と、画像表示部の表示面２ａに対向して配される光透過性を有する振動板４と、再生入力信号が供給され、振動板４を駆動して振動させるドライバユニット５とを備える。【選択図】  図１
2005006344.tif 000002
【特許請求の範囲】
【請求項１】
画像表示部と、
上記画像表示部の表示面に対向して配される光透過性を有する振動板と、
再生入力信号が供給され、上記振動板を駆動して振動させるドライバユニットと
を備えることを特徴とする画像表示装置。
【請求項２】
上記ドライバユニットは、上記振動板の外周端部を駆動するように配されていることを特徴とする請求項１記載の画像表示装置。
【請求項３】
上記ドライバユニットは、上記振動板の相対向する外周端部をそれぞれ駆動する一対のドライバユニットからなることをことを特徴とする請求項２記載の画像表示装置。
【請求項４】
上記ドライバユニットは、上記振動板の外周端部の複数部位をそれぞれ駆動する複数のドライバユニットからなることを特徴とする請求項２記載の画像表示装置。
【請求項５】
上記振動板は、上記画像表示部の表示面から放射される電磁波の電界抑制や外光の反射抑制等のフィルタ作用を奏することを特徴とする請求項１記載の画像表示装置。
【発明の詳細な説明】
【技術分野】
【０００１】
本発明は、パーソナルコンピュータの端末機器等に用いて好適な画像表示装置に関し、さらに詳しくはＣＲＴ、プラズマディスプレィ或いは液晶ディスプレィ等の画像表示装置に関する。
【背景技術】
【０００２】
パーソナルコンピュータ等に用いられる画像表示装置は、表示面から放射される有害な電磁波や紫外線をカットしてその影響を低減するとともに、表示画像のちらつきや外光の反射防止等を目的として、表示部の前面にフィルタ装置が装着される。フィルタ装置は、例えば強化ガラスやアクリル樹脂、ポリカーボネート樹脂等によって形成される透明基板に、電磁波の電界を低減する透明な導電材を封入する等の特殊加工を施すことによって構成される。また、フィルタ装置は、合成樹脂製の透明シートや透明フィルムに反射防止膜（偏光膜）を積層形成して構成される。
【０００３】
一方、画像表示装置には、コンピュータ装置等から供給される音声情報等の再生入力信号を再生出力するために、スピーカ装置が接続される。スピーカ装置には、例えば画像表示装置やコンピュータ本体に内蔵された内蔵型スピーカ装置や、独立装置として接続される外付け型スピーカ装置とが用いられる。
【０００４】
ところで、スピーカ装置としては、一般にコーン型ダイナミックスピーカやホーン型ダイナミックスピーカ等が用いられている。例えばコーン型ダイナミックスピーカは、円錐形状に形成された振動板と、この振動板を駆動するドライバユニットと、振動板の外周縁部を支持するフレームと、これら各部材を収納したキャビネット等の部材によって構成される。ドライバユニットは、ボイスコイルと、ポールと、プレートと、マグネットと、ダンパー及びセンタキャップ等の部材によって構成されている。
【０００５】
振動板は、軽量で内部損失が大きい素材によって上述した円錐形を基本形状に形成され、その中心部にドライバユニットが配置される。振動板は、一般に内周部から外周部に向かって次第にその経が大きくされるとともに、その外周縁部が全周に亘って矢紙を介してフレームに支持されている。フレームは、振動板とドライバとを結合するとともに、振動板の保護作用も奏する部材である。フレームには、振動板に対してその振動動作による反作用の影響を及ぼさないように、一般に切欠き窓が形成されている。矢紙は、振動板の外周縁部の押さえと、この振動板が振動した際にキャビネットの取付部と接触しないように作用する。
【０００６】
一方、ホーン型ダイナミックスピーカは、ボイスコイルによって駆動される振動板の振動音をホーンによって拡大して放出するようにしたものであり、ホーンを有する以外の基本的な構成については上述したコーン型ダイナミックスピーカと同等とされる。すなわち、ホーン型ダイナミックスピーカにおいても、マグネットと、その先端部に一体に組み付けられたポールと、ポールの周囲を取り囲むヨークと、ポールと対向する開口部を有してヨークに組み付けられたプレートとによってドライバユニットを構成し、このドライバユニットによって振動板が振動される。
【０００７】
振動板は、アルミニウム等の軽金属や合成樹脂等によって球面形状を呈して形成されている。振動板は、開口部を閉塞することによってポールと対向するようにしてその外周縁部がプレートに結合されている。振動板は、上述したコーン型ダイナミックスピーカの振動板よりも小さくかつ振動系の共振が再生帯域のほぼ中央領域でよいために機械的剛性が大きい。したがって、振動板は、ダンパーを介することなくプレートに結合されるとともに、その周辺部をドライバユニットによって振動動作される。換言すれば、ホーン型ダイナミックスピーカにおいても、その振動板が、コーン型ダイナミックスピーカの振動板と同様に外周縁部を固定されて支持されている。
【０００８】
ところで、スピーカ装置においては、ボックス等を必要とせず薄型であり、自由な位置に設置することができるいわゆるパネル型スピーカ装置の実現について多くの試みが図られてきた。しかしながら、これらの多くの試みは、いずれも技術上の限界や音響性能の限界等によって理想的なパネル型スピーカ装置を実現するまでには至っていない。これらの試みは、その多くが上述したコーン型ダイナミックスピーカやホーン型ダイナミックスピーカを基本としたものであった。
【０００９】
薄型スピーカ装置としては、例えばパネル状の振動板を固定極に対して微小な間隔を以って対向配置してなるコンデンサ型スピーカが知られている。コンデンサ型スピーカは、一般に振動板に金属薄膜が成膜形成されるとともにこの振動板と固定極との間に数１００ボルトの直流偏倚電圧が印加される。振動板は、固定極に再生信号が入力されると、この固定極との間の静電気的吸引力の変化によって振動する。また、コンデンサ型スピーカとしては、振動板を挟んで固定極を配置することによって、全帯域用に対応するようにしたプッシュプル型スピーカも提供されている。
【００１０】
コンデンサ型スピーカは、上述したように放音部に数１００ボルトの電圧を印加する必要があることから、いかなる場所にでも自由に設置することが困難であるとともに、温度や湿度条件の変化による安定性が低いといった問題点を有している。また、コンデンサ型スピーカは、入力電圧が直流偏倚電圧に規定されることによって、入力電圧に対して得られる最大無歪み出力音圧レベルが上述したダイナミックスピーカ装置に比較して小さいといった問題もある。さらに、コンデンサ型スピーカは、全帯域で安定した周波数特性を確保するためには振動板が大型化するといったように種々の問題点を有している。
【発明の開示】
【発明が解決しようとする課題】
【００１１】
ところで、パーソナルコンピュータや、この種のコンピュータに用いられる画像表示装置においては、低価格化と操作性の簡易化或いはネットワーク網の整備・充実等を背景として普及台数のめざましい拡大が図られている。また、パーソナルコンピュータ  は、例えば低価格のディスク交換型外部記憶装置等の端末・接続機器の充実等によっても種々の利用面の拡大が図られており、データ情報の処理ばかりでなく、画像情報とともに音声情報の処理も極めて重要になっている。
【００１２】
パーソナルコンピュータや画像表示装置においては、内部スペースやコスト等の条件から、一般に充分な音量かつ良好な音質で音声情報等の再生入力信号を再生出力することが可能な大型のスピーカ装置が内蔵されていない。換言すれば、従来のパーソナルコンピュータやコンピュータに用いられる画像表示装置等に備えられる内蔵型スピーカ装置は、音声情報等の再生入力信号を単に再生出力する機能を有するにすぎないものであり、良好な音響特性を期待することができなかった。
【００１３】
パーソナルコンピュータやこの種のコンピュータに用いられる画像表示装置においては、上述した内蔵型スピーカ装置を補完するために、例えば大型の外付けスピーカ装置が接続される。この種の外付けスピーカ装置は、一般にパーソナルコンピュータや画像表示装置等が作業テーブル等の限られたスペースに他の端末機器とともに設置されて使用されることから、その設置スペースを確保することが困難であった。そのため、パーソナルコンピュータや画像表示装置においては、小型で薄型であって大きな設置スペースを不要として音声情報等の再生入力信号を充分な音量かつ良好な音質で再生可能とするスピーカ装置が必要とされている。
【００１４】
スピーカ装置は、一般に再生入力信号が供給されるとドライバユニットによって振動板がピストンのように動作して出力再生が行われると考えられている。したがって、パネル型スピーカ装置においても、振動板を電磁駆動方式や静電駆動方式により上述した従来型のスピーカ装置の振動板と同様に動作する高精度の平面ダイヤフラムを製作する試みがなされていた。例えば静電駆動方式の振動板においては、所定のテンションを以って外周部が支持されており、ドライバユニットからの駆動力が与えられるとその駆動位置から波動が同心円状に連続して発生する。かかる振動板は、大きな単一位相の振動板として動作することによって、音の集中と制御が不可能な振動とを生じる大面積ピストン動作に起因する種々の問題を解決しなければならない。
【００１５】
一方、パネル型スピーカ装置として、曲げ波動理論に基づいてドライバユニットにより振動板を駆動するようにした新規な振動板構造を有するスピーカ装置が提案されている。この新規なパネル型スピーカ装置は、機械的剛性が比較的大きな堅いパネル構造によって振動板が構成されており、ドライバユニットから駆動力が与えられるとこの振動板の表面全体に複雑な振動モードが生成される。振動モードは、平面パネル（振動板）の動作周波数の範囲に均一に分布された最も複雑で密集した波形の構造となる。新規なパネル型スピーカ装置は、有限サイズの振動板に関する曲げ波動の物理的特性と、波動の速度対周波数特性と、駆動点インピーダンス特性との解析により特徴付けられる。
【００１６】
新規なパネル型スピーカ装置は、想定される用途に応じてパラメータが最適化された曲げ剛性の振動板が用いられ、一致周波数の下方周波数帯域までの動作が可能とされる。新規なパネル型スピーカ装置は、一般に振動板から最大密度の曲げモードを確保するために、この振動板の中心点付近がドライバユニットによって駆動される。振動板は、有限要素解析によって均一なモード密度を与える特定の縦横比が数学的なモデリングツールによって実証されている。また、新規なパネル型スピーカ装置は、フーリェ型の分析によって、振動板に対して最良のモードの均一性を実現する駆動力の供給位置が求められる。そして、振動板においては、フーリェ型分析の拡張によって高周波数帯域において多少の損失が生じるものの、より大きな面積のパネルを駆動することも可能とされる。振動板は、波動関数のゼロ周波数限界をとることにより、より一般的な静的梁の曲げ方程式に近似した曲げ剛性の式によって表現される。
【００１７】
新規なパネル型スピーカ装置は、振動板の曲げ動作を規定する要因、すなわち面密度、曲げ剛性、幾何学的寸法（外形寸法）、表面積、駆動点の位置、及びドライブユニットのパラメータ、コアのシェアモジュール、内部損失、或いは振動板の支持方法のパラメータが最適に設定されることによって製作される。一般的なスピーカ装置においては、ダイポールと称される後方の音が前方の音と逆相を呈することから、中周波数帯域から低周波数帯域の音響エネルギーの打ち消しを防ぐ大きなバッフル板やエンクロジャを必要とする。一方、新規なパネル型スピーカ装置においては、バイポーラと称される後方の音の輻射が前方の音と加算されることから、効率の改善が図られるとともにバッフル板やエンクロージャを不要としている。
【００１８】
新規なパネル型スピーカ装置は、単一素子のトランスデューサで駆動される１枚の振動板によってフルレンジの出力再生を可能とする。新規なパネル型スピーカ装置は、振動板の適切な材質の選択とトランスデューサに適合した構成とによって従来のスピーカ装置と同等のフラットな周波数特性をえることが可能となる。
【００１９】
新規なパネル型スピーカ装置は、感度と電気的負荷とが従来のスピーカ装置と同等とされることにより既存のアンプとの互換性が図られるばかりでなく動電型ドライバユニットや圧電型ドライバユニットの適用が可能とされ、非常に広い音場の放射パターン並びに双指向性の放射パターンが得られる。新規なパネル型スピーカ装置は、機械的エネルギから音響的エネルギへの変換効率がほぼ１００％であるとともに周波数に独立した無指向性放射の特性、すなわち各周波数に関してサウンドパワーの大きな均一性を保有している。新規なパネル型スピーカ装置は、距離の条件によるサウンドパワーの減衰が小さいといった特徴を有するとともに、その新規な構成によりその他種々の特徴を有している。
【００２０】
本発明は、上述したドライバユニットによって再生入力信号に基づいて振動板に曲げ動作を生じさせて駆動し出力再生を行う曲げ波動理論に基づくスピーカ機能を備えた画像表示装置を提供することを目的に提案されたものである。
【課題を解決するための手段】
【００２１】
上述のような目的を達成するため、本発明に係る画像表示装置は、画像表示部と、上記画像表示部の表示面に対向して配される光透過性を有する振動板と、再生入力信号が供給され、上記振動板を駆動して振動させるドライバユニットとを備える。
【００２２】
上記ドライバユニットは、上記振動板の外周端部を駆動するように配されている。
【００２３】
また、上記ドライバユニットは、上記振動板の相対向する外周端部をそれぞれ駆動する一対のドライバユニットから構成される。
【００２４】
さらに、上記ドライバユニットは、上記振動板の外周端部の複数部位をそれぞれ駆動する複数のドライバユニットから構成するようにしてもよい。
【００２５】
上記振動板は、上記画像表示部の表示面から放射される電磁波の電界抑制や外光の反射抑制等のフィルタ作用を奏する。
【発明の効果】
【００２６】
本発明に係る画像表示装置は、画像表示部の表示面に対向して配される光透過性を有する振動板が振動されて音を放射するので、振動板の面積を大きくすることができ、充分な音量でかつ良好な音質の再生音声を放音できる。そして、画像表示部の表示面に振動板を配したことにより、スペース効率を高めて外付けスピーカ装置と同様の音響特性を有するコンピュータシステムの構築を可能とする。
【発明を実施するための最良の形態】
【００２７】
以下、本発明に係る画像表示装置を図面を参照して詳細に説明する。
【００２８】
本発明に係る画像表示装置２は、例えばパーソナルコンピュータ の端末機器を構成するものであって、図１に示すように、画像表示装置２の表示面２ａに対向してパネル型スピーカ装置１が設けられている。このスピーカ装置１は、キャビネット３に装着されるフィルタ装置を兼用する。パネル型スピーカ装置１は、透明基板を基材としてなるフィルタ板４と、このフィルタ板４に取り付けられた一対のドライバユニット５ａ，５ｂと、これらドライバユニット５ａ，５ｂがそれぞれ取り付けられるブラケット部材６ａ，６ｂと、装着用部材７等から構成される。なお、パネル型スピーカ装置１は、一対のドライバユニット５ａ，５ｂに再生入力信号を供給する駆動部や配線を備えるが、これらは図示しないがブラケット部材６ａ，６ｂに組み付けられる。
【００２９】
フィルタ板４は、例えばガラスや透明若しくは充分な光透過性を有する半透明な合成樹脂材料によって成形されたパネル状の透明基板を基材として、電磁波抑制、紫外線カット、反射防止、偏光等の機能、或いはこれらの機能を複合して構成される。ガラスには、耐衝撃性を考慮して強化ガラスが用いられる。合成樹脂材料には、例えばアクリル系樹脂、ポリカーボネート系樹脂や、ポリエステル系樹脂、トリアセチルセルロース、ジアセチルセルロース等のセルロース系樹脂、スチレン系樹脂等が用いられる。
【００３０】
電磁波抑制用フィルタ板は、透明基板に対して、透明若しくは充分な光透過性を保持する半透明で微細な線状金属等からなる導電膜を封装する等の特殊加工を施して構成される。電磁波抑制フィルタ板は、画像表示装置２の表示面２ａに対向して装着用部材７を介してキャビネット３に装着されることによって、透明基板に封装された導電膜のシールド作用により表示面２ａから放射される人体に悪影響を及ぼす電磁波の電界を低減する。
【００３１】
また、反射防止用フィルタ板は、透明基板に対して、無機化合物の単層又は多層の反射防止薄膜を真空蒸着法、イオンプレーティング法、スバッタリング法等の成膜法によって形成した偏光フィルタ板が用いられる。無機化合物としては、例えば酸化珪素、酸化イットリウム、酸化アルミニウム、酸化スズ等の各種金属酸化物や、フッ化カルシウム、フッ化ナトリウム、フッ化マグネシウム、フッ化リチウム等の金属ハロゲン化物、或いは硫化亜鉛、硫化カドミウム等の金属硫化物、さらにセレン化金属、テルル化金属や珪素、ゲルマニウム、テルル等が使用される。反射防止用フィルタ板は、画像表示装置２の表示面２ａに対向して装着用部材７を介してキャビネット３に装着されることによって、照明光の反射や背景の写り込みを防止して鮮明な画像が表示される。
【００３２】
フィルタ板４は、上述したように従来のフィルタ装置に備えられるフィルタ板と同様に適宜のフィルタ機能を付与されて構成されるが、画像表示装置２の表示面２ａに表示される画像の見かけ上のフォーカスを悪くするといった表示特性を劣化させない程度の厚みを有することにより剛性を付与されて構成されている。また、フィルタ板４は、図１に示すようにその両側部位が、画像表示装置２の表示面２ａの両側に突出してドライバユニット５が配設される支持領域４ａ，４ｂを構成するに足る長さ寸法を有して構成される。
【００３３】
フィルタ板４は、詳細を後述するように、再生入力信号に基づいてドライバユニット５によって部分的な曲げ動作を生じさせられて再生出力を放音する振動板として作用する。フィルタ板４は、前面側が放音面４ｃとして構成されるとともに画像表示装置２の表示面２ａとの対向面がドライバユニット５によって駆動力を受ける被駆動面４ｄとして構成される。フィルタ板４は、外周部４ｅが非拘束状態とされて後述するようにドライバユニット５ａ，５ｂによってその支持領域４ａ，４ｂを支持されてなる。
【００３４】
ドライバユニット５ａ，５ｂには、従来のスピーカ装置に備えられるボイスコイル型ドライバユニットや圧電素子を用いた圧電型ドライバユニットが用いられ、上述したようにフィルタ板４を振動板として駆動する。圧電型ドライバユニットは、詳細を省略するが薄厚の圧電素子によって構成されるために全体を薄型かつ小型に構成することができるために有効である。
【００３５】
本発明に係る画像表示装置１には、図２に示すようなボイスコイル型のドライバユニット５が用いられる。このドライバユニット５は、ボイスコイル８と、再生入力信号に基づいてこのボイスコイル８を駆動する磁気回路９とから構成されている。ボイスコイル８は、ボビン１０と、このボビン１０の外周部に捲き線を施して構成したコイル部１１とからなる。磁気回路９は、センタポール１２と、このセンタポール１２を中心孔に貫通させて組み合わされたリング状のマグネット１３と、センタポール１２を中心孔に臨ませてマグネット１３に積層状態で組み合わされたリング状のプレート１４と、ダンパ１５等の部材によって構成される。ドライバユニット５は、ボイスコイル８がそのコイル部１１をセンタポール１２とプレート１４とによって構成される磁気空間部に位置されるようにしてダンパ１５によって支持されている。ダンパ１５は、ボイスコイル８のボビン１０とプレート１４との間を連結している。
【００３６】
以上のように構成されたドライバユニット５は、図２に示すように、ボビン１０の先端部にリング状の取付プレート１６が嵌合され、この取付プレート１６を介してフィルタ板４の支持領域４ａ，４ｂにそれぞれ取り付けられる。また、ドライバユニット５は、センタポール１２がそのフランジ部１２ａを止めねじ１７を介して支持ブラケット６に固定されている。支持ブラケット６は、パネル型スピーカ装置１が装着部材７を介して画像表示装置２のキャビネット３に装着された状態においてキャビネット３の両側に位置される。
【００３７】
装着部材７は、詳細を省略するが例えば一端部をフィルタ板４に固定されるとともに他端部に取付部７ａが設けられた弾性片によって構成され、取付部７ａを介してキャビネット３に取り付けられる。したがって、パネル型スピーカ装置１は、図１に示すようにフィルタ板４を表示面２ａに対向させて画像表示装置２に装着されるが、装着部材７によってフィルタ板４が拘束されることはない。
【００３８】
以上のように構成されたパネル型スピーカ装置１は、図示しない再生入力信号の入力回路部から再生入力信号（音声電流）がドライバユニット５に供給されると、フィルタ板４が駆動されてその放音面４ｃから再生出力の放音が行われる。ドライバユニット５は、磁気回路９の磁気空間部中に位置されたボイスコイル８に音声電流が供給されると、このボイスコイル８がフィルタ板４に対して直交する方向に振動する。パネル型スピーカ装置１は、ボイスコイル８のボビン１０に嵌合した取付プレート１６との接合部位を駆動点としてフィルタ板４に部分的な曲げ動作が生じて再生出力の放音が行われる。
【００３９】
図３は、上述したパネル型スピーカ装置１について、ドライバユニット５により駆動されるフィルタ板４の動作状態を示した図である。図３中の（Ａ）は、入力周波数が６２Ｈｚの再生入力信号を供給した場合のフィルタ板４の動作状態を示した図である。また、図３中の（Ｂ）は、入力周波数が１５０Ｈｚの再生入力信号を供給した場合のフィルタ板４の動作状態を示した図である。さらに、図３中の（Ｃ）は、入力周波数が５０１Ｈｚの再生入力信号を供給した場合のフィルタ板４の動作状態を示した図である。フィルタ板４は、これらの図から明らかなように、ドライバユニット５から再生入力信号が印加されることにより曲げ動作が生じて複雑な振動モードが生成される。また、フィルタ板４は、再生入力信号の周波数が高くなるにしたがってより大きなピークを有する曲げ動作が生じる。
【００４０】
パネル型スピーカ装置１は、上述したように共鳴箱や音響管等を不要として振動板を構成するフィルタ板４を直接駆動することにより新規なスピーカシステムを構成する。また、パネル型スピーカ装置１は、振動板を構成するフィルタ板４の外周部４ｅを支持するための矢紙やフレーム等の支持部材を不要とすることから、部品点数も少なく組立工程が合理化されてコストの低減が図られて製造される。パネル型スピーカ装置１は、フィルタ板４が大きな振動面積を有することから、従来の内蔵スピーカ装置と比較して、より大きな音量かつ良好な再生出力を可能とする。パネル型スピーカ装置１は、フィルタ装置を兼用することから、従来の外付けスピーカ装置にように大きな設置場所を占有することはない。
【００４１】
ところで、パネル型スピーカ装置１においては、上述したようにドライバユニット５がリング状の取付プレート１６を介してフィルタ板４の被駆動面４ｄに接合固定されてなり、この取付プレート１６の接合部においてフィルタ板４に対する駆動部を構成している。したがって、パネル型スピーカ装置１は、高周波数帯域の入力周波数が印加された場合において、取付プレート１６の外側に大きな振動が伝達され難いといった特徴を有している。パネル型スピーカ装置１においては、高周波数帯域の入力周波数に関して放射される音圧のエネルギーの多くがフィルタ板４の全体からではなく、その接合部から放出される。
【００４２】
パネル型スピーカ装置１は、高周波数帯域における有効帯域を伸ばすために、フィルタ板４に対してドライバユニット５をそのボビン１０や取付プレート１６を楕円形のリング状或いは矩形の接合部を介して取り付けるように構成してもよい。パネル型スピーカ装置１は、かかるフィルタ板４とドライバユニット５との接合構造によって高周波数帯域の特性が変化される。パネル型スピーカ装置１は、これによって高周波数帯域で共振状態となる周波数帯域や振幅の調整が可能とされ、低周波数帯域及び中周波数帯域の特性とつなぎ合わせることで高周波数帯域における周波数応答特性をより広くとることが可能とされる。
【００４３】
パネル型スピーカ装置１は、高周波数帯域における周波数応答特性の改善を図るため、例えば、一対のドライバユニット５ａ，５ｂがそれぞれ接合固定されるフィルタ板４の支持領域４ａ，４ｂの全部或いは一部を材質を異にする取付板によって構成してもよい。取付板は、例えばフィルタ板４を成形する際に、インサート成形法によって一体化されてなり、特定の入力周波数に対する応答特性を改善する材質のものが選定される。したがって、パネル型スピーカ装置１は、フィルタ板４と取付板とで振動特性を異にするために、機械的にいわゆる２ウェイスピーカ装置と同等の機能を有する。
【００４４】
ところで、パネル型スピーカ装置１においては、２個のドライバユニット５ａ，５ｂを備えることから、これらドライバユニット５ａ，５ｂによりフィルタ板４にそれぞれ独立の曲げ動作が生じる。したがって、パネル型スピーカ装置１は、各ドライバユニット５ａ，５ｂについて意図的に節位置をフィルタ板４に対する加振動位置としない限り、各ドライバユニット５ａ，５ｂが各周波数帯で節位置を駆動することはない。パネル型スピーカ装置１においては、各ドライバユニット５ａ，５ｂが各周波数帯において相互に節位置でのフィルタ板４の駆動を補完することによって、その周波数応答特性に鋭いピークやディップの発生が抑制されるようになる。パネル型スピーカ装置１は、中周波数帯域及び高周波数帯域においてピークやディップの減少が図られ、フィルタ板４の大きさとその材料特性に応じた固有の再生出力が薄められていわゆるくせのない音質の再生出力がなされる。
【００４５】
パネル型スピーカ装置１は、フィルタ板４に画像表示装置２の表示面２ａに対して支障のない領域に位置して振動を吸収しやすい材質によって形成された質量成分材を設けて構成してもよい。質量成分材としては、例えばテープ状とされた鉛材からなり、フィルタ板４に対してその放音面４ｃの外周部４ｅに全周に亘って貼着されてなる。パネル型スピーカ装置１は、上述したようにフィルタ板４がその外周部４ｅを非拘束状態とされることにより低周波数帯域でも外周部４ｅで振動が生じ易くなるようにして低周波数帯域での安定した再生出力を得ることができるように構成されている。パネル型スピーカ装置１は、この外周部４ｅに質量成分材を設けて低周波数帯域での振動モードの発生周波数を下げることで、再生有効周波数帯域の拡張が図られている。なお、質量成分材については、上述したテープ状の鉛材に限定されるものではなく、その他の振動損失の大きな材料或いは防振降下の大きな材料等によって形成してもよいことは勿論である。
【００４６】
ところで、上述したパネル型スピーカ装置１においては、フィルタ板４に対してその両側の支持領域４ａ，４ｂにそれぞれ１個のドライバユニット５ａ，５ｂが配置されて構成したが、本発明はかかる構成に限定されるものではなく、多数個のドライバユニットを用いて構成してもよい。この場合、パネル型スピーカ装置１は、フィルタ板４がドライバユニット５ａ，５ｂを配置する支持領域４ａ，４ｂに対して周辺の振動領域の面積を大きく構成される。したがって、パネル型スピーカ装置１は、低周波数帯域での感度の向上が図られるとともに、フィルタ板４が振動領域において支持領域４ａ，４ｂと逆相で動作することによって、より低い動作周波数が確保される。
【００４７】
本発明に係る画像表示装置１に用いられるパネル型スピーカ装置は、図４に示すように構成されたものであってもよい。
【００４８】
図４に示すパネル型スピーカ装置２０は、フィルタ板４を駆動するために支持領域４ａ，４ｂにそれぞれ３個のドライバユニット２１ａ乃至２１ｃを備えてなる。なお、各ドライバユニット２１ａ乃至２１ｃは、上述したパネル型スピーカ装置１に用いられるドライバユニット５と同一のものが用いられることからその詳細な説明は省略する。このパネル型スピーカ装置２０は、各ドライバユニット２１ａ乃至２１ｃに対して再生入力信号を供給する入力部２２の構成に特徴を有している。すなわち、パネル型スピーカ装置２０は、各ドライバユニット２１ａ乃至２１ｃに対して入力部２２を介してそれぞれ独立に再生入力信号の供給或いは位相の切換等を行って駆動するように構成されている。
【００４９】
入力部２２は、再生装置２３から供給される再生入力信号を増幅するアンプ２４と、このアンプ２４と各ドライバユニット２１ａ乃至２１ｃとの間に互いに独立してそれぞれ接続された切換スイッチ２５ａ乃至２５ｃとボリューム２６ａ乃至２６ｃとからなる直列回路とから構成される。各切換スイッチ２５ａ乃至２５ｃは、例えば各ドライバユニット２１ａ乃至２１ｃに対する再生入力信号の入力のオン／オフの切換操作とともに、入力オン状態で再生入力信号の位相の切換操作とを行う。各ボリューム２６ａ乃至２６ｃは、各ドライバユニット２１ａ乃至２１ｃに対してそれぞれ入力される再生入力信号のレベル調整を行ってこれら各ドライバユニット２１ａ乃至２１ｃの感度を個々に調整する。
【００５０】
以上のように構成されたパネル型スピーカ装置２０には、音源のコンピュータ本体２３を介して入力部２２から必要とされる位相成分を有する再生入力信号が供給される。パネル型スピーカ装置２０は、各ドライバユニット２１ａ乃至２１ｃがそれぞれ独立に動作されてフィルタ板４を駆動して再生出力を放音する。したがって、パネル型スピーカ装置２０は、特別な回路素子や切換装置等を不要とするとともに使用者による極めて簡単な操作によって、音場や音質等を適宜変えた再生出力を得ることを可能とする。
【００５１】
本発明に係る画像表示装置１には、図５に示すように構成されたパネル型スピーカ装置３０を用いることができる。
【００５２】
図５に示すパネル型スピーカ装置３０は、フィルタ板４を駆動する３個のドライバユニット３１ａ乃至３１ｃを備えており、これら各ドライバユニット３１ａ乃至３１ｃに対して再生入力信号を供給する入力部３２の構成に特徴を有している。すなわち、パネル型スピーカ装置システム３０は、入力部３２において再生入力信号を３つの周波数帯域に分割するとともに位相調整を行ってこれを合成した後、各ドライバユニット３１ａ乃至３１ｃに供給することによってフィルタ板４を駆動するように構成されてなる。
【００５３】
入力部３２は、コンピュータ本体３３から再生入力信号が供給されるバンドパスフィルタ３４ａ乃至３４ｃと、これらバンドパスフィルタ３４ａ乃至３４ｃにそれぞれ接続された切換スイッチユニット３５乃至３７と、これら切換スイッチユニット３５乃至３７を介してそれぞれ再生入力信号が供給されるミキサ３８ａ乃至３８ｃと、各ミキサ３８ａ乃至３８ｃと各ドライバユニット３１ａ乃至３１ｃとの間にそれぞれ介挿されたアンプ３９ａ乃至３９ｃ等によって構成されている。バンドパスフィルタ３４ａ乃至３４ｃは、コンピュータ本体３３から供給される再生入力信号をそれぞれ所定の周波数帯域に分割する。
【００５４】
各切換スイッチユニット３５乃至３７は、それぞれミキサ３８ａ乃至３８ｃに接続された各３個の切換スイッチ３５ａ乃至３５ｃ、３６ａ乃至３６ｃ、３７ａ乃至３７ｃによって構成されている。これら切換スイッチ３５ａ乃至３５ｃ、３６ａ乃至３６ｃ、３７ａ乃至３７ｃは、例えば各ミキサ３８ａ乃至３８ｃに対するそれぞれ再生入力信号の入力のオン／オフの切換操作とともに、入力オン状態で再生入力信号の位相の切換操作とを行う。各ミキサ３８ａ乃至３８ｃは、各切換スイッチユニット３５乃至３７からそれぞれ供給される所定の周波数帯域の再生入力信号を合成して各アンプ３９ａ乃至３９ｃへと入力する。各アンプ３９ａ乃至３９ｃは、合成再生入力信号を増幅してドライバユニット３１ａ乃至３１ｃに供給する。
【００５５】
図５に示すパネル型スピーカ装置３０は、以上のように構成されることにより、コンピュータ３３から供給される再生入力信号が、入力部３２において３つの周波数帯域に分割されるとともに必要とされる位相成分に調整されて入力される。パネル型スピーカ装置３０は、各ドライバユニット３１ａ乃至３１ｃがそれぞれ独立に動作されてフィルタ板４を駆動して再生音を放出する。パネル型スピーカ装置３０は、例えば低周波数帯域では各ドライバユニット３１ａ乃至３１ｃに全て同相成分の再生入力信号が供給されるとともに中周波数帯域及び高周波数帯域では逆相成分の再生入力信号が供給されるように構成する。具体的には、パネル型スピーカ装置３０は、中周波数帯域及び高周波数帯域において、例えば上下のドライバユニット３１ａ，３１ｃに正相成分の再生入力信号が入力されるとともに、中央部のドライバユニット３１ｂに逆相成分の再生入力信号が入力される。
【００５６】
図５に示すパネル型スピーカ装置３０は、低周波数帯域で同相成分の再生入力信号が各ドライバユニット３１ａ乃至３１ｃに供給されることにより、フィルタ板４により大きな曲げ動作が生じる。したがって、パネル型スピーカ装置３０においては、上述したようにフィルタ板４の外周部４ｅに質量成分材を貼着した場合と同様に低周波数帯域でのピークが生成されて応答特性の向上、すなわち感度の向上が図られるようになる。また、パネル型スピーカ装置３０は、中周波数帯域及び高周波数帯域で逆相成分の再生入力信号を各ドライバユニット３１に供給することによって、互いに相殺される周波数帯域が生じて全体の感度が低下することから全体的に感度が平坦化が図られた再生出力が出力されるようになる。
【００５７】
なお、図５に示すパネル型スピーカ装置３０は、上述したように中央部のドライバユニット３１ｂに逆相成分の再生入力信号を入力することでフィルタ板４に大きな曲げ動作が生じ、このフィルタ板４の材質特有の再生音が出力されるようになる。したがって、パネル型スピーカ装置３０は、特定の周波数帯域において入力部３２の切換スイッチユニット３５乃至３７の切換操作によってドライバユニット３１ｂに逆相入力を行い、独特な再生音を生成することが可能となる。
【００５８】
本発明に係る画像表示装置１には、図６に示すように構成されたパネル型スピーカ装置４０を用いることができる。
【００５９】
図６に示すパネル型スピーカ装置４０は、上述したディップ部分や過度のピークの発生を抑制して周波数応答特性の平坦化を図るために３個のデジタルフィルタ４４ａ乃至４４ｃを備えている。すなわち、図６に示すパネル型スピーカ装置４０は、上述したパネル型スピーカ装置３０と同様にフィルタ板４を駆動する３個のドライバユニット４１ａ乃至４１ｃと、これら各ドライバユニット４１ａ乃至４１ｃに対して再生入力信号を供給する入力部４２とから構成されている。入力部４２は、コンピュータ本体４３から供給される再生入力信号に対して適当な信号処理を施す３個のフィルタ４４ａ乃至４４ｃと、これら各フィルタ４４ａ乃至４１ｃを通過した再生入力信号を増幅して各ドライバユニット４１ａ乃至４１ｃをそれぞれ駆動するアンプ４５ａ乃至４５ｃとから構成される。
【００６０】
図６に示すパネル型スピーカ装置４０においては、コンピュータ本体４３から供給される再生入力信号が、例えばインパルス応答の逆フィルタ作用を奏する各フィルタ４４によって上述したディップ部分や過度のピークを発生させる特定の周波数帯域を分離する等の信号処理を施されて各アンプ４５ａ乃至４５ｃを介して各ドライバユニット４１ａ乃至４１ｃに供給される。このパネル型スピーカ装置４０は、これによって再生周波数特性の平坦化が図られた再生出力が放音されるようになる。なお、図６に示すパネル型スピーカ装置４０は、各フィルタ４４ａ乃至４４ｃを適宜選択することによって、特定の周波数帯域のみを強調させた再生出力を放音することも可能となる。また、各フィルタ４４ａ乃至４４ｃには、適宜のデジタルフィルタ或いはアナログフィルタが用いられ、再生入力信号に対して特定の周波数帯域の分離処理ばかりでなく振幅や位相等の適宜の信号処理を行うものが用いられる。
【００６１】
なお、図６に示すパネル型スピーカ装置４０においては、信号処理を施して各ドライバユニット４１ａ乃至４１ｃに再生入力信号を供給してこれらを駆動する各フィルタ４４ａ乃至４４ｃについて、それぞれのフィルタ係数に適当な遅れ成分を付与して構成するようにしてもよい。このパネル型スピーカ装置４０は、かかる構成によってフィルタ板４から放音される再生出力の音波波面が制御されてその主軸を正面から適宜ずらすことが可能となることから、拡声化が図られる。
【００６２】
また、図６に示すパネル型スピーカ装置４０においては、所定の信号処理を施して各ドライバユニット４１ａ乃至４１ｃに再生入力信号を供給してこれらを駆動する各フィルタ４４ａ乃至４４ｃについて、それぞれのフィルタ係数に適宜の振幅成分を付与して構成してもよい。このパネル型スピーカ装置４０は、かかる構成を採用することによって、スピーカアレィと同様に指向性を付与することが可能となる。したがって、図６に示すパネル型スピーカ装置４０は、放音部が１枚のフィルタ板４によって構成されるが、複数の入力音源に対しても指向性の制御が可能なスピーカ装置を構成する。
【００６３】
本発明に係る画像表示装置１には、図７に示すように構成されたパネル型スピーカ装置５０を用いることができる。
【００６４】
図７に示すパネル型スピーカ装置５０は、図６に示すパネル型スピーカ装置４０を基本として、目標とする最適な特性を得るフィルタ５５を入力部５２に備える展開例を示したものである。このパネル型スピーカ装置５０も、フィルタ板４を駆動する３個のドライバユニット５１ａ乃至５１ｃと、これら各ドライバユニット５１ａ乃至５１ｃに対して再生入力信号を供給する入力部５２とから構成されてなる。入力部５２は、コンピュータ本体５３から再生入力信号がそれぞれ供給される第１のアンプ５４と、フィルタ５５及びこのフィルタ５５に接続された第２のアンプ５６とを備える。
【００６５】
図７に示すパネル型スピーカ装置５０は、入力部５２の第１のアンプ５４を介して供給される再生入力信号によって上下に配置された第１のドライバユニット５１ａと第３のドライバユニット５１ｃとが駆動される。また、パネル型スピーカ装置５０は、入力部５２のフィルタ５５によって所定の信号処理を施された再生入力信号が第２のアンプ５６を介して供給されることによって中央部に配置された第２のドライバユニット５１ｂが駆動される。パネル型スピーカ装置５０は、このように第２のドライバユニット５１ｂに所定の信号処理を施した再生入力信号を供給することで、フィルタ板４に発生する振動モードを制御する。
【００６６】
図７に示すパネル型スピーカ装置５０は、例えばフィルタ５５において再生入力信号の逆相処理を行うことによって、第２のドライバユニット５１ｂを第１のドライバユニット５１ａと第３のドライバユニット５１ｃに対して異なる位相で駆動するようにする。このパネル型スピーカ装置５０は、かかる構成によって通常の材料解析では予測し得ない振動モードでフィルタ板４の駆動が可能となり、結果的に上述したディップ部分や過度のピークの発生が抑制される。
【００６７】
本発明に用いられるパネル型スピーカ装置においては、振動板に幾何学的に対称位置に配置されたドライバユニットに互いに逆相の再生入力信号を供給して駆動することにより、ある特定の周波数帯域において振動板の材質にかかわらずこれらドライバユニットの等間隔位置で振動の節を強制的に生成することが可能となる。したがって、パネル型スピーカ装置では、かかる現象を巧みに利用することにより上述した各周波数帯域の感度調整、再生周波数特性の改善或いは音場や音質の調整等が可能となる。勿論、再生入力信号の信号処理は、各ドライバユニットに対してフィルタを適宜に組合せることによって行うようにしてもよい。
【００６８】
本発明に係る画像表示装置１には、図８に示すように構成されたパネル型スピーカ装置６０を用いることができる。
【００６９】
図８に示したパネル型スピーカ装置６０は、フィルタ板４と、その支持領域４ａ，４ｂにそれぞれ配置した各５個のドライブユニット６１ａ乃至６１ｅと、コンピュータ本体の２つの音源６３ａ，６３ｂから供給される再生入力信号を処理して各ドライブユニット６１ａ乃至６１ｃに入力する入力部６２とによって構成されてなる。勿論、パネル型スピーカ装置６０は、上述した各パネル型スピーカ装置と同様に、３個のドライブユニットによって１枚のフィルタ板４を駆動するように構成してもよい。
【００７０】
入力部６２は、第１の音源６３ａから供給される再生入力信号に対して順次大きな遅れ成分ｄａ１，ｄａ２，ｄａ３，ｄａ４を付与する第１の遅れ成分供給回路６４ａ１乃至６４ａ４及び第２の音源６３ｂから供給される再生入力信号に対して順次大きな遅れ成分ｄｂ１，ｄｂ２，ｄｂ３，ｄｂ４を付与する第２の遅れ成分供給回路６４ｂ１乃至６４ｂ４が備えられている。また、入力部６２には、第１のミキサ６５ａ乃至第５のミキサ６５ｅと、これらミキサ６５においてミキシングされた再生入力信号が供給されて各ドライバユニット６１をそれぞれ駆動する第１のアンプ６６ａ乃至第５のアンプ６６ｅとが備えられている。
【００７１】
第１のミキサ６５ａは、第１の音源６３ａから供給された再生入力信号と第２の音源６３ｂから供給されて遅れ成分ｄｂ４が付与された再生入力信号とをミキシングする。第２のミキサ６５ｂは、第１の音源６３ａから供給されて遅れ成分ｄａ１が付与された再生入力信号と第２の音源６３ｂから供給されて遅れ成分ｄｂ３が付与された再生入力信号とをミキシングする。第３のミキサ６５ｃは、第１の音源６３ａから供給されて遅れ成分ｄａ２が付与された再生入力信号と第２の音源６３ｂから供給されて遅れ成分ｄｂ２が付与された再生入力信号とをミキシングする。第４のミキサ６５ｄは、第１の音源６３ａから供給されて遅れ成分ｄａ３が付与された再生入力信号と第２の音源６３ｂから供給されて遅れ成分ｄｂ１が付与された再生入力信号とをミキシングする。さらに、第５のミキサ６５ｅは、第１の音源６３ａから供給されて遅れ成分ｄａ４が付与された再生入力信号と第２の音源６３ｂから供給された再生入力信号とをミキシングする。
【００７２】
図８に示すパネル型スピーカ装置６０は、第１の音源６３ａと第２の音源６３ｂとからそれぞれ供給される再生入力信号が、遅れ成分の重みを変えた信号処理を施されて各ドライバユニット６１ａ乃至６１ｃに供給される。したがって、このパネル型スピーカ装置６０においては、第１の音源６３ａの再生入力信号に基づいて、遅れ成分ｄに応じて第１のドライバユニット６１ａから第５のドライバユニット６１ｅに向かって次第に駆動が行われる。また、パネル型スピーカ装置６０においては、第２の音源６３ｂの再生入力信号に基づいて、遅れ成分ｄに応じて第５のドライバユニット６１ｅと第１のドライバユニット６１ａに向かって次第に駆動が行われる。
【００７３】
図８に示すパネル型スピーカ装置６０は、上述した動作によって、第１の音源６３ａの再生入力信号に基づく再生出力がフィルタ板４の放音面４ａから図８中矢印ＡＡで示す方向へと放音される。また、パネル型スピーカ装置６０は、第２の音源６３ｂの再生入力信号に基づく再生出力がフィルタ板４の放音面４ａから図８中矢印ＢＢで示す方向へと放音される。したがって、図８に示すパネル型スピーカ装置６０においては、２チャンネルの音源に対してそれぞれ異にする指向性が付与される。
【００７４】
本発明に係る画像表示装置１には、図９に示すように構成されたパネル型スピーカ装置５０も用いることができる。
【００７５】
図９に示すパネル型スピーカ装置７０は、フィルタ板４を支持領域４ａ，４ｂにそれぞれ配置された各５個のドライブユニット７１ａ乃至７１ｅによって駆動するとともに２つの音源７３ａ，７３ｂからそれぞれ再生入力信号を供給する構成について上述したパネル型スピーカ装置６０と同様とするが、２つの音源７３ａ，７３ｂから供給される再生入力信号を信号処理する入力部７２を備えている。このパネル型スピーカ装置７０についても、上述した各パネル型スピーカ装置と同様に、３個のドライブユニットによってフィルタ板４を駆動するように構成してもよい。
【００７６】
すなわち、入力部７２には、第１の音源７３ａから供給される再生入力信号を信号処理する５個の第１のフィルタ７４ａ１乃至７４ａ５と、第２の音源７３ｂから供給される再生入力信号を信号処理する５個の第２のフィルタ７４ｂ１乃至７４ｂ５からなる１０個のフィルタ７４が備えられている。また、入力部７３には、信号処理された第１の音源７３ａから供給された再生入力信号と第２の音源７３ｂから供給された再生入力信号とをミキシングする５個のミキサ７５ａ乃至７５ｅと、これらミキサ７５ａ乃至７５ｅにおいてそれぞれミキシングされた再生入力信号が入力されることによって各ドライバユニット７１ａ乃至７１ｅをそれぞれ駆動する５個のアンプ７６ａ乃至７６ｅとが備えられている。
【００７７】
第１のミキサ７５ａは、第１の音源７３ａから供給されて第１のフィルタ７４ａ１において信号処理された再生入力信号と、第２の音源７３ｂから供給されて第５のフィルタ７４ｂ５において信号処理された再生入力信号とが入力され、これらをチャンネル合成して第１アンプの７６ａに供給する。第２のミキサ７５ｂは、第１の音源７３ａから供給されて第２のフィルタ７４ａ２において信号処理された再生入力信号と、第２の音源７３ｂから供給されて第４のフィルタ７４ｂ４において信号処理された再生入力信号とが入力され、これらをチャンネル合成して第２のアンプ７６ｂに供給する。第３のミキサ７５ｃは、第１の音源７３ａから供給されて第３のフィルタ７４ａ３において信号処理された再生入力信号と、第２の音源７４ｂから供給されて第３のフィルタ７４ｂ３において信号処理された再生入力信号とが入力され、これらをチャンネル合成して第３のアンプ７６ｃに供給する。
【００７８】
さらに、第４のミキサ７５ｄは、第１の音源７３ａから供給されて第４のフィルタ７４ａ４において信号処理された再生入力信号と、第２の音源７３ｂから供給されて第２のフィルタ７４ｂ２において信号処理された再生入力信号とが入力され、これらをチャンネル合成して第４のアンプ７６ｄに供給する。また、第５のミキサ７５ｅは、第１の音源７３ａから供給されて第５のフィルタ７４ａ５において信号処理された再生入力信号と、第２の音源７３ｂから供給されて第１のフィルタ７４ｂ１において信号処理された再生入力信号とが入力され、これらをチャンネル合成して第５のアンプ７６ｅに供給する。
【００７９】
各フィルタ７４ａ，７４ｂには、上述した図６に示すパネル型スピーカ装置４０に用いたフィルタ４４と同様に、例えば各フィルタ７４ａ，７４ｂに入力される再生入力信号に対して所定の周波数帯域の選択、任意の位相或いは振幅の信号処理を施すフィルタ係数を有するものが用いられる。図９に示すパネル型スピーカ装置７０は、最適なフィルタ７４ａ，７４ｂを用いることによって、上述したパネル型スピーカ装置６０と比較してより効果的な指向特性をえることが可能となる。
【００８０】
また、図９に示すパネル型スピーカ装置７０においては、各フィルタ７４ａ，７４ｂによってフィルタ板４を駆動する各ドライバユニット７１ａ乃至７１ｅに供給する再生入力信号について特定の周波数帯域の制御を行うように構成してもよい。パネル型スピーカ装置７０は、これによってフィルタ板４中に多数の腹、節を有する振動モードを生成することが可能となり、振動モードの各腹の部位を発音源とみなすことができる。スピーカアレイにおいては、一般に高周波数帯域まで指向性を狭くする効果を得るために発音源の個数を多くとる必要があり、コストがアップするとともに装置が大型化しかつ使用者に圧迫感を与えるといった問題がある。
【００８１】
図９に示すパネル型スピーカ装置７０は、上述したようにより少数のドライバユニット７１ａ乃至７１ｅによって目的とする狭指向性を得ることが可能となり、かつ放音面も１個であることから小型で廉価に構成されて上述した問題点を解決する。
【００８２】
なお、図９に示すパネル型スピーカ装置７０における狭指向性の向上は、上述した各パネル型スピーカ装置によっても達成されることは勿論である。
【００８３】
さらに、図９に示すパネル型スピーカ装置７０においては、例えば各フィルタ７４ａ，７４ｂにそのフィルタ係数を経時的に更新させるように制御する制御部を設けることによって指向特性を変化させるように構成してもよい。このパネル型スピーカ装置７０は、かかる構成を採用することによって特殊な機械的構成を用いることなく放音軸の回転、移動等の特殊な音響効果の生成が可能となる。勿論、かかる構成は、上述した各パネル型スピーカ装置にも採用することができる。
【００８４】
本発明においては、上述した各実施の形態で説明した個々の技術を適宜に組み合わせ、これらを電気的或いは機械的に切り換えて振動板を駆動するように構成してもよい。
【図面の簡単な説明】
【００８５】
【図１】パネル型スピーカ装置を備えた本発明に係る画像表示装置を示す着した使用状態の斜視図である。
【図２】本発明に係る画像表示装置に用いられるパネル型スピーカ装置の要部縦断面図である。
【図３】パネル型スピーカ装置における振動板を構成するフィルタ板の振動モードの状態を説明する図である。
【図４】本発明に係る画像表示装置に用いられるパネル型スピーカ装置であって、フィルタ板を３個のドライバユニットによって駆動するパネル型スピーカ装置の要部構成図である。
【図５】本発明に係る画像表示装置に用いられるパネル型スピーカ装置であって、フィルタ板を３個のドライバユニットによって駆動する他のパネル型スピーカ装置の要部構成図である。
【図６】本発明に係る画像表示装置に用いられるパネル型スピーカ装置であって、フィルタ板を３個のドライバユニットによって駆動する他のパネル型スピーカ装置の要部構成図である。
【図７】本発明に係る画像表示装置に用いられるパネル型スピーカ装置であって、フィルタ板を３個のドライバユニットによって駆動する他のパネル型スピーカ装置の要部構成図である。
【図８】本発明に係る画像表示装置に用いられるパネル型スピーカ装置であって、フィルタ板を５個のドライバユニットによって駆動するパネル型スピーカ装置の要部構成図である。
【図９】本発明に係る画像表示装置に用いられるパネル型スピーカ装置であって、５個のドライバユニットによって駆動する他のパネル型スピーカ装置の要部構成図である。
【符号の説明】
【００８６】
１  パネル型スピーカ装置、  ２  画像表示装置、  ２ａ  表示面、  ３  キャビネット、  ４  フィルタ板、  ４ａ、４ｂ  支持領域、  ４ｃ  放音面、  ４ｄ  被駆動面、４ｅ  外周部、  ５  ドライバユニット
【図１】
2005006344.tif 000003
【図２】
2005006344.tif 000004
【図３】
2005006344.tif 000005
【図４】
2005006344.tif 000006
【図５】
2005006344.tif 000007
【図６】
2005006344.tif 000008
【図７】
2005006344.tif 000009
【図８】
2005006344.tif 000010
【図９】
2005006344.tif 000011